【事件の表示】
　特願２０１４−５４３６２０「電子ペーパー画面上の増分ページ遷移」拒絶査定不服審判事件〔平成２５年　６月　６日国際公開、ＷＯ２０１３／０８２１３５、平成２７年　２月２６日国内公表、特表２０１５−５０６０１３、請求項の数（１５）〕について、次のとおり審決する。
【結　論】
　原査定を取り消す。
　本願の発明は、特許すべきものとする。
【理　由】
第１．手続の経緯
　
　本願は、２０１２年１１月２８日（パリ条約による優先権主張外国庁受理　２０１１年１１月２８日　米国）を国際出願とする出願であって、平成２７年８月２５日付けで拒絶理由が通知され、同年１１月３０日付けで手続補正がなされたが、平成２８年３月１０日付けで拒絶査定がなされ、これに対し、同年７月１５日に拒絶査定不服審判の請求がなされると同時に手続補正がなされたものである。
第２．平成２８年７月１５日付けの手続補正（以下「本件補正」という。）の適否
　
１．補正の内容 
（１）請求項１について
　本件補正は、補正前の特許請求の範囲の請求項１を、
　
「【請求項１】
　コンテンツをレンダリングするように構成され、複数の画素を含む、電子ペーパー画面と、
　前記電子ペーパー画面上にレンダリングされたコンテンツを更新するように構成される、画面制御器と、
　フレームバッファであって、前記画面制御器が当該フレームバッファから前記電子ペーパー画面上の前記コンテンツを更新する、フレームバッファと、
　１つ以上のプロセッサと、
　コンピュータで実行可能な命令を格納する１つ以上のコンピュータ可読媒体であって、前記命令は、１つ以上のプロセッサ上で実行されたとき、前記１つ以上のプロセッサに、
　電子書籍の第１のページから前記電子書籍の第２のページへと操縦することを求める要求を受け取るステップと、
　前記要求を受け取ることに少なくとも部分的に応答して、前記フレームバッファを前記第２のページに対応する画素値で満たし、および前記画面制御器に逐次的な命令を発行することによって、前記電子書籍の前記第１のページから前記電子書籍の前記第２のページへと遷移するステップであって、各逐次的な命令ごとに、前記第１のページを表示している画素のセットを、前記フレームバッファ中の、前記電子書籍の前記第２のページに対応する前記画素値のサブセットにより更新
し
前記第２のページをレンダリング中のある時点において利用可能な前記更新の数に少なくとも部分的に基づいて、前記画素値のサブセットのサイズが変更される、
　を含む動作を実行させる、コンピュータ可読媒体と
　を備えたことを特徴とする電子書籍リーダデバイス。」
　
とする補正（以下、「補正事項１」という。）を含んでいる。（下線は補正事項を示している。）
（２）請求項１１について
　本件補正は、補正前の特許請求の範囲の請求項１１を、
　
「【請求項１１】
　電子ペーパー画面を含み、および実行可能な命令とともに構成される、電子デバイスの制御下で、
　前記電子ペーパー画面上のコンテンツ項目の第１の部分をレンダリングするステップと、
　前記電子ペーパー画面上のコンテンツ項目の、異なる第２の部分をレンダリングするための要求を受け取るステップであって、前記コンテンツ項目の前記第２の部分は、前記電子ペーパー画面の画素のセットに対応する、ステップと、
　前記要求を受け取ることに少なくとも部分的に応答して、フレームバッファを
前記第２の部分に対応する
であって、前記第２の部分をレンダリング中のある時点において利用可能な前記更新の数に少なくとも部分的に基づいて、前記対応する前記画素値のサブセットの特性が変更される、ステップ
　を含むことを特徴とする方法。」
とする補正（以下、「補正事項２」という。）を含んでいる。
２．補正の適否
（１）補正事項１について　
　本件補正のうち上記補正事項１は、補正前の請求項１に記載された「前記電子書籍の前記第２のページに対応する前記画素値のサブセットにより更新する、ステップ」に、「前記第２のページをレンダリング中のある時点において利用可能な前記更新の数に少なくとも部分的に基づいて、前記画素値のサブセットのサイズが変更される」点を付加して限定したものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　 
ア．請求項１について
　そこで、本件補正後の前記請求項１に記載された発明（以下、「補正発明１」という。）が特許法第１７条の２第６項において準用する同法第１２６条第７項の規定に適合するか（特許出願の際独立して特許を受けることができるものであるか）について以下に検討する。
ａ．引用例の記載事項
　原査定の拒絶の理由に引用された特開平１１−１３４３５１号公報（以下、「引用例１」という。）には、次の記載がある。（下線は当審において付加した。）
　　
（ａ）「【０００１】
【発明の属する技術分野】
本発明は、電子化されたドキュメントをあたかも書籍のように閲覧することのできる電子ブック装置に関する。特に、ドキュメントをイメージデータとして電子化したデータ、及びメディアを再生しディスプレーに表示する電子ブック表示制御装置に関する
（ｂ）「【００１９】
【発明の実施の形態】図１は請求項１に記載の
電子ブック表示制御装置
１は装置全体の制御を行うＣＰＵであり、２は書籍の内容を画像データとして記憶した画像データ記憶部であり、３は上記画像データを取り込み所望の制御を行う画像データ制御部であり、４は現表示ページ及び次表示ページの画像データを格納する表示準備用画像データ記憶部であり、５は書籍内容の画像データ及び電子ブックの操作に関する情報を表示する表示部であり、６は上記表示部を制御する表示制御部であり、７は上記表示部に表示するデータを格納する表示用画像データ記憶部であり、８はユーザが電子ブックを操作するための入力部であり、９はページ切り替え期間中の特定の時刻に表示部に表示されるデータを記憶するページ切り替えデータ記憶部であり、１０は上記ページ切り替えデータの列情報を格納する列情報格納テーブルであり、１１は上記列情報から表示準備用画像データ記憶部のアドレス及び現表示ページ及び次表示ページの画像データを選択する選択手段を含む表示切り替え制御部である
（ｃ）「【００２０】
図２は、上記ページ切り替えデータ記憶部に記載された、ページ切り替えデータの例を示した図である
ここでｑは表示されるページ切り替えのシーンの数を表すものである。Ｔ０〜Ｔｑはページ切り替え期間中の各シーンが表示される時刻を表しており
【００２１】時刻Ｔ０はページ切り替え開始の時刻であり、ページ１およびページ２が開かれた状態である。Ｔ２は、２ページ目をめくり始めた途中の時刻であり、見開きの半分は１ページ目であり、残りの半分は２ページ目及び４ページ目がある比率で開かれた状態の時刻である。Ｔｑは、さらにページをめくり、見開きの半分は１ページ、他方の半分は４ページが表示される時刻である。さらにページめくりを継続し、ページ見開きの半分が４ページ、他方が１ページ及び３ページがある比率で表示される時刻がＴｐ＋２である。Ｔｑはページめくりが終了し、３ページ及び４ページが表示される状態の時刻である。
【００２２】また、
図２の横軸はページ切り替え期間中の時刻における表示用画像データ記憶部の列番号０〜Ｎを表しており、縦軸と横軸の交差するセルには、現表示ページか次表示ページかをそれぞれＡ、Ｂで表した値と、表示用画像データ記憶部の列番号に対応する表示準備用画像データ記憶部の列番号が記載されている
（ｄ）「【００２３】
図３は図１の表示切り替え制御部の周辺をさらに細かく記載したブロック図である
２１はページ切り替えのシーンを管理するカウンタであり、０から始まり時刻Ｔｑにおけるカウンタの数はｑとなる。２２は表示用画像データ記憶部のアドレスを繰り返し生成するアドレス生成部であり、表示用画像データ記憶部の左上端から右下端までのアドレスを順に生成する
【００２４】２３は列情報格納テーブルを参照し、表示準備用画像データ記憶部のメモリを選択するメモリセレクト部である。すなわちａメモリかｂメモリのいずれかを選択する。」（４頁６欄）
（ｅ）「【００２５】以下、
図４のフローに基づいて表示切替え制御部の制御方式を詳細に説明する
入力装置より次表示ページの表示の要求があるとＣＰＵに前記要求信号が渡され、ＣＰＵは前記要求信号を画像データ制御部に伝える
【００２６】
上記画像データが読み込まれる時刻はページ切り替えの開始時刻Ｔ０であるので、表示切り替え制御部はカウンタの値に０をセットする（ステップＳ２）
【００２７】
次に、表示切り替え制御部はカウンタの値０と、アドレス生成部のｘ座標の値０を列情報格納テーブルに送る（ステップＳ４）
次に、表示切り替え制御部は列情報格納テーブルから表示準備用画像データ記憶部の該当するメモリと、ｘ座標を得る（ステップＳ５）
【００２８】
メモリセレクト部は上記の値から表示準備用画像データ記憶部のメモリを選択し、表示切り替え制御部は表示用画像データ記憶部に上記で指定された表示準備用画像データを転送する（ステップＳ６）
各ページ切り替えの表示用画像データを表示部に表示したとき、画像の左上端から右下端まで全部のアドレスを走査し尽くすという意味であり、走査方向は通常の表示装置の走査方法のように画面の左上端から右下端に向かって進める
【００２９】
表示用画像データ記憶部のアドレスの走査を完了しない場合、アドレス生成部はアドレスを進める（ステップＳ８）
【００３０】一方、
アドレスが表示用画像データの走査を完了している場合すなわちカウンタの値ｃがｃ≧ｑを満足するなら、ページ切り替え表示の処理を終了し、次ページ切り替え要求を待つ（ステップＳ９）
【００３１】
ｃがｃ＜ｑの場合には、カウンタに定数Ｋを加える（ステップＳ１０）
　上記引用例１の記載及び図面並びにこの分野の技術常識を考慮すると、
　上記（ｅ）の段落【００２８】の記載によれば、「表示部」にページ切り替えの各シーンの表示用画像データを表示する時は、画像の左上端から右下端まで全部のアドレスを走査するものであり、また、上記（ｂ）の段落【００１９】の記載、及び図１を参照すると、「表示制御部」が「表示部」の制御を行うものであり、「表示用画像データ記憶部」のデータを「表示部」に表示しているものと認められる。　
　したがって、引用例１には、表示部に各ページ切り替え表示用画像データを表示する時は、表示制御部が画像の左上端から右下端まで全部のアドレスを走査し表示することが記載されているといえる。
　上記（ｅ）の段落【００２５】〜【００３１】、及び図４の記載によれば、入力装置より次表示ページの表示の要求があるとＣＰＵに前記要求信号が渡され、前記ＣＰＵは前記要求信号を前記画像データ制御部に伝えるものである。そして、前記表示切り替え制御部は、各カウンタの値毎に、表示用画像データのアドレスが全て走査されるまで、前記ページ切り替えデータ記憶部の前記ページ切り替えデータを参照し、画像表示データの各列に、表示準備用画像データ記憶部の現表示ページＡ及び列番号と、次表示ページＢ及び列番号のいずれか、を選択する、「ステップＳ４」から「ステップＳ７」の行程が繰り返すことで、画像表示データを作成している。
　また、段落【００２３】の記載によれば、カウンタはページの切り替えシーンを管理するものである。
　したがって、前記入力装置より次表示ページの表示の要求があると前記ＣＰＵに前記要求信号が渡され、前記ＣＰＵは前記要求信号を前記画像データ制御部に伝え、前記表示切り替え制御部は前記要求信号に基づいてページ切り替え期間中のシーン毎に、前記ページ切り替えデータ記憶部の前記ページ切り替えデータを参照することによって、各シーン毎の前記表示用画像データの列に応じて前記表示準備用画像データ記憶部の現表示ページＡ及び列番号と、次表示ページＢ及び列番号、を選択し、各シーン毎の前記表示用画像データを作成する、ことが記載されているといえる。
　　
　以上総合すると、引用例１には、以下の発明（以下、「引用発明」という。）が記載されているといえる。
 
〈引用発明〉
 
「装置全体の制御を行うＣＰＵと、書籍内容を画像データとして記憶した画像データ記憶部と、前記画像データを取り込み所望の制御を行う画像データ制御部と、現表示ページＡ及び次表示ページＢの画像データを格納する表示準備用画像データ記憶部と、書籍内容の画像データ及び電子ブックの操作に関する情報を表示する表示部と、前記表示部を制御する表示制御部と、前記表示部に表示するデータを格納する表示用画像データ記憶部と、ユーザが電子ブックを操作するための入力部と、ページ切り替え期間中の特定の時刻に表示部に表示されるデータを記憶するページ切り替えデータ記憶部と、前記ページ切り替えデータの列情報を格納する列情報格納テーブルと、前記列情報から前記表示準備用画像データ記憶部の現表示ページＡの列番号と、次表示ページＢの列番号のいずれかを選択する選択手段を含む表示切り替え制御部と、を有する電子ブック表示制御装置であって、
　前記ページ切り替えデータ記憶部のページ切り替えデータは、ページ切り替え期間中の各シーンが表示される時刻Ｔ０〜Ｔｑ毎に前記表示用画像データ記憶部の列番号に応じて、表示準備用画像データ記憶部の現表示ページＡの列番号と、次表示ページＢの列番号のいずれかが記載されており、
　前記表示切り替え制御部は、０から始まり時刻Ｔｑにおけるカウンタの数はｑとなる、ページ切り替えのシーンを管理するカウンタと、前記表示用画像データ記憶部の左上端から右下端までのアドレスを順に生成するアドレス生成部と、を有し、
　前記入力装置より次表示ページの表示の要求があると前記ＣＰＵに前記要求信号が渡され、前記ＣＰＵは前記要求信号を前記画像データ制御部に伝え、前記表示切り替え制御部は前記要求信号に基づいてページ切り替え期間中のシーン毎に、前記ページ切り替えデータ記憶部の前記ページ切り替えデータを参照することによって、各シーン毎の前記表示用画像データの列に応じて前記表示準備用画像データ記憶部の現表示ページＡの列番号と、次表示ページＢの列番号のいずれか、を選択し、各シーン毎の前記表示用画像データを作成し、
　前記表示部に各ページ切り替えの各シーンの表示用画像データを表示する時は、前記表示制御部が前記表示用画像データ記憶部の画像の左上端から右下端まで全部のアドレスを走査し表示する、
　電子ブック表示制御装置。」
　
ｂ．対比
 
　補正発明１と引用発明とを対比すると、次のことがいえる。
 
（ａ）引用発明の「電子ブック表示制御装置」は、補正発明１の「電子書籍リーダデバイス」に相当する。
　                
（ｂ）引用発明の「書籍内容」は、補正発明１の「コンテンツ」に相当し、引用発明の「表示部」は、「書籍内容の画像データ」を「表示する」ものであり、「表示部」が「画素」を有していることは明らかであるから、引用発明の「表示部」と、補正発明の１「コンテンツをレンダリングするように構成され、複数の画素を含む、電子ペーパー画面」は、「コンテンツをレンダリングするように構成され、複数の画素を含む、表示手段」である点で共通する。
（ｃ）引用発明の「表示制御部」は、「前記表示部にページ切り替えの各シーンの表示用画像データを表示する時は、前記表示制御部が画像の左上端から右下端まで全部のアドレスを走査し表示するものであ」るから、補正発明１の「前記電子ペーパー画面上にレンダリングされたコンテンツを更新するように構成される、画面制御器」と、「前記表示手段上にレンダリングされたコンテンツを更新するように構成される、画面制御器」である点で共通する。
（ｄ）引用発明の「表示用画像データ記憶部」は、「前記表示部に表示するデータを格納する」ものであって、「表示用画像データ記憶部」の「データ」を「表示制御部」が「表示部」に表示するものであるから、引用発明１の「表示用画像データ記憶部」と、補正発明１の「フレームバッファであって、前記画面制御器が当該フレームバッファから前記電子ペーパー画面上の前記コンテンツを更新する、フレームバッファ」とは、「フレームバッファであって、前記画面制御器が当該フレームバッファから前記表示手段上の前記コンテンツを更新する、フレームバッファ」である点で共通する。
　
（ｅ）引用発明の「ＣＰＵ」は、補正発明１の「１つ以上のプロセッサ」に相当する。
（ｆ）引用発明の「ＣＰＵ」は、「装置全体の制御」を行うものであるから、引用発明の「前記入力装置より次表示ページの表示の要求があると前記ＣＰＵに前記要求信号が渡され、前記ＣＰＵは前記要求信号を前記画像データ制御部に伝え、前記表示切り替え制御部は前記要求信号に基づいてページ切り替え期間中のシーン毎に、前記ページ切り替えデータ記憶部の前記ページ切り替えデータを参照することによって、各シーン毎の前記表示用画像データの列に応じて前記表示準備用画像データ記憶部の現表示ページＡの列番号と、次表示ページＢの列番号のいずれか、を選択し、各シーン毎の前記表示用画像データを作成し、前記表示部に各ページ切り替えの各シーンの表示用画像データを表示する時は、前記表示制御部が前記表示用画像データ記憶部の画像の左上端から右下端まで全部のアドレスを走査し表示する」する制御（以下、「表示する制御」という。）は、「ＣＰＵ」が行っているものと認められる。
　そして、引用発明の「現表示ページＡ」、及び「次表示ページＢ」は、補正発明１の「第１のページ」、及び「第２のページ」に相当し、上記「表示する制御」は、「第１のページ」から「第２のページ」への「ページ切り替え期間中のシーン毎」に「表示用画像データを作成し」、「表示部」に「表示用画像データ」を表示するものでるから、「第１のページ」から「第２のページ」への遷移を表示するものと認められ、さらに、引用発明においては、遷移期間中の各シーン毎に「表示用画像データ」を表示することから、シーン毎に「表示切り替え制御部」及び「画面制御器」に、「表示用画像データを作成」し「表示部」に「表示用画像データ」を表示するための逐次的な命令が出されているものと認められる。
　また、通常、制御はコンピュータ（「ＣＰＵ」）で実行可能な命令で行い、装置は該制御のための命令を格納するためにコンピュータ可読媒体を有するものであるから、引用発明においても、上記「表示する制御」はコンピュータで実行可能な命令で行い、電子ブック表示制御装置は該制御のための命令を格納するためにコンピュータ可読媒体を有し、ＣＰＵで該命令が実行されたとき、上記「表示する制御」が行われるものと認められる。
　してみれば、引用発明の上記「表示する制御」のための命令を格納したコンピュータ可読媒体と、補正発明１の「コンピュータ可読媒体」とは、「コンピュータで実行可能な命令を格納する１つ以上のコンピュータ可読媒体であって、前記命令は、１つ以上のプロセッサ上で実行されたとき、前記１つ以上のプロセッサに、電子書籍の第１のページから前記電子書籍の第２のページへと操縦することを求める要求を受け取るステップと、前記要求を受け取ることに少なくとも部分的に応答して、前記画面制御器に逐次的な命令を発行することによって、前記電子書籍の前記第１のページから前記電子書籍の前記第２のページへと遷移するステップと、を含む動作を実行させる、コンピュータ可読媒体」である点で共通する。
　
　よって、補正発明１と引用発明は、以下の点で一致、ないし相違している。
 
（一致点）
 
「コンテンツをレンダリングするように構成され、複数の画素を含む、表示手段と、
　前記表示手段上にレンダリングされたコンテンツを更新するように構成される、画面制御器と、
　フレームバッファであって、前記画面制御器が当該フレームバッファから前記表示手段上の前記コンテンツを更新する、フレームバッファと、
　１つ以上のプロセッサと、
　コンピュータで実行可能な命令を格納する１つ以上のコンピュータ可読媒体であって、前記命令は、１つ以上のプロセッサ上で実行されたとき、前記１つ以上のプロセッサに、
　電子書籍の第１のページから前記電子書籍の第２のページへと操縦することを求める要求を受け取るステップと、
　前記要求を受け取ることに少なくとも部分的に応答して、前記画面制御器に逐次的な命令を発行することによって、前記電子書籍の前記第１のページから前記電子書籍の前記第２のページへと遷移するステップと、
　を含む動作を実行させる、コンピュータ可読媒体と
　を備えた電子書籍リーダデバイス。」
 　
（相違点１）
　上記「表示手段」が、補正発明１では、「電子ペーパー画面」であるのに対して、引用発明では、そのような特定のない点。
（相違点２）
　上記「コンピュータ可読媒体」の「前記電子書籍の前記第１のページから前記電子書籍の前記第２のページへと遷移するステップ」が、補正発明１では、「前記フレームバッファを前記第２のページに対応する画素値で満た」し、「逐次的な命令ごとに、前記第１のページを表示している画素のセットを、前記フレームバッファ中の、前記電子書籍の前記第２のページに対応する前記画素値のサブセットにより更新し、前記第２のページをレンダリング中のある時点において利用可能な前記更新の数に少なくとも部分的に基づいて、前記画素値のサブセットのサイズが変更される、ステップ」であるのに対して、引用発明では、「前記表示切り替え制御部は前記要求信号に基づいてページ切り替え期間中のシーン毎に、前記ページ切り替えデータ記憶部の前記ページ切り替えデータを参照することによって、各シーン毎の前記表示用画像データの列に応じて前記表示準備用画像データ記憶部の現表示ページＡ及び列番号と、次表示ページＢ及び列番号、を選択し、各シーン毎の前記表示用画像データを作成し、前記表示部に各ページ切り替えの各シーンの表示用画像データを表示する時は、前記表示制御部が前記表示用画像データ記憶部の画像の左上端から右下端まで全部のアドレスを走査し表示する」点。
ｃ．判断
 
　当審は次のとおり判断する。
 
　下の（ａ）〜（ｃ）に示す理由で、引用発明において上記相違点２に係る補正発明１の構成を採用することは、当業者といえども容易に推考し得たこととはいえない。
  
（ａ）引用発明を開示する引用例１には、引用発明において上記相違点２に係る補正発明の構成を採用することについての記載も、それを示唆する記載もない。
 
（ｂ）原査定のの拒絶の理由に引用された特開２０１０−２０４４１８号公報（以下、「引用例２」という。）には（特に、段落【０００２】、【００３７】〜【００４４】、【００４７】、【００７０】〜【００７５】、図１、図４〜６、図９等参照）、電子ブックの表示装置として、不揮発表示部（「電子ペーパー」に相当。）を用い、ＣＰＵによって実行される処理プログラムが、ページめくりを行う際に、表示画像データが記憶される一時記憶領域から、不揮発性表示部の右半分領域に対応するデータのみを読み出し、不揮発表示部の右半分のドライバのみを起動することで、不揮発性表示部の右半分の表示を切り替えたものが記載されている。
　ここで、引用発明の「電子ブック表示制御装置」の「表示部」として引用例２の電子ペーパーを適用することは、当業者が容易に想到し得たことと認められるが、引用発明に引用例２を適用しても、電子ペーパーの右半分部分が表示用画像データ記憶部の各シーン毎の表示用画像データの対応するデータで更新されるのものであり、表示用画像データはページ切り替え中の各シーンで異なるものであって、第２のページの画素値のみで満たされたものではなく、さらに、１つの表示用画像データを逐次的な命令でサブセット毎に書き換えるものでもない。
　また、原査定の拒絶の理由に引用された特開２００９−２８２４３３号公報（以下、「引用例３」という。）には（特に、段落【０００１】、【０００２】、【００２４】〜【００３６】、【００４５】〜【００４８】、図３、図４、図６〜図８等参照）、電子ブックの表示装置として、「電子ペーパー」を用い、ページの書き換えを行う際に、電子ペーパーの列電極を順次走査するすることで、右から左に連続的に書き換えていくものが記載されている。
　そして、引用発明の「電子ブック表示制御装置」の表示部として引用例３の電子ペーパー適用するすることは、当業者が容易に想到し得たことと認められるが、引用発明に引用例３を適用しても、各シーン毎の表示用画像データによって電子ペーパを右から左に連続的に書き換えていくものであり、表示用画像データは第２のページの画素値のみで満たされたものではなく、さらに、表示用画像データを逐次的な命令でサブセット毎に逐次的に書き換えるものでもない。
　したがって、引用発明に引用例２、または引用例３の技術を適用しても、上記相違点２に係る補正発明１の構成は導出されない。
　したがって、引用発明において上記相違点２に係る補正発明１の構成を採用することが当業者にとって容易であったとはいえない。
 
（ｃ）ほかに引用発明において上記相違点２に係る補正発明１の構成を採用することが当業者にとって容易であったといえる根拠は見当たらない。
 
　したがって、補正発明１は、引用発明に基づいて、当業者が容易に発明することができたものとはいえない。
イ．請求項２−１０について
　補正後の請求項２−１０に係る発明は、補正発明１をさらに限定したものであるので、補正発明１と同様に、当業者が引用発明に基づいて容易に発明をすることができたものではない。
　
　よって、補正事項１は、特許法第１７条の２第６項において準用する同法第１２６条第７項の規定に適合する。 
（２）補正事項２について
ア．請求項１１について
　本件補正後の前記請求項１１に記載された発明は（以下「補正発明１１」という。）は、補正後の請求項１に係る補正事項１と同様な点を、及び、補正前の請求項１１に記載された「画素値」を、「前記第２の部分に対応する画素値」とする特許請求の範囲を限定的な減縮を目的とする補正事項２を含むものである。
　そして、補正発明１１は、補正発明１の「電子書籍リーダデバイス」を方法の観点から記載したものであり、補正発明１と同様に、当業者が引用発明に基づいて容易に発明することができたものではない。
イ．請求項１２−１５について
　補正後の請求項１２−１５に係る発明は、補正発明１１をさらに限定したものであるので、補正発明１１と同様に、当業者が引用発明に基づいて容易に発明をすることができたものではない。
　
　よって、補正事項２は、特許法第１７条の２第６項において準用する同法第１２６条第７項の規定に適合する
　
（３）むすび
 
　本件補正は、特許法第１７条の２第３項ないし第６項の規定に適合する。
　
　
第３　本願発明
 
　本件補正は上記のとおり、特許法第１７条の２第３項ないし第６項の規定に適合するから、本願の請求項１−１５に係る発明は、本件補正により補正された特許請求の範囲の請求項１−１５に記載された事項により特定されるとおりのものである。
 
　そして、本願の請求項１−１５に係る発明は上記第２の２．のとおり、当業者が引用発明に基づいて容易に発明をすることができたものではない。
　したがって、本願については、原査定の拒絶理由を検討してもその理由によって拒絶すべきものとすることはできない。 
　また、他に本願を拒絶すべき理由を発見しない。 
　よって、結論のとおり審決する。